【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
アプリケーションを実行するメインシステムと、外部装置との通信を制御するサブシステムとを有する情報処理システムであって、
前記情報処理システムは、前記情報処理システムの少なくとも一部の消費電力を低減する省電力状態を有し、
前記メインシステムは、前記サブシステムの消費電力を制御する電力制御手段を備え、
前記サブシステムは、
前記外部装置と通信するための第１の通信処理部と、
前記外部装置と通信するための第２の通信処理部と、
前記サブシステムの制御手段と、
を備え、
前記電力制御手段は、前記情報処理システムを前記省電力状態にする場合に、前記外部装置から送信される可能性のある、前記省電力状態からの復帰を受け付ける指示の種類に応じて、前記省電力時の前記サブシステムの消費電力を制御することを特徴とする情報処理システム。
【請求項２】
前記電力制御手段は、少なくとも前記第１の通信処理部と前記第2の通信処理部と前記制御手段への電源供給を制御することを特徴とする請求項１に記載の情報処理システム。
【請求項３】
前記電力制御手段は、前記制御手段の動作クロックを制御することを特徴とする請求項１又は２に記載の情報処理システム。
【請求項４】
前記電力制御手段は、少なくとも、前記第1の通信処理部の利用状態、前記第２の通信処理部の利用状態、暗号通信の利用状態のいずれかに基づいて、前記省電力時の前記サブシステムの消費電力を制御する
ことを特徴とする請求項１乃至３のいずれか１項に記載の情報処理システム。
【請求項５】
前記電力制御手段はさらに、前記第1の通信処理部による通信及び前記第2の通信処理部による通信に共通して利用される信号処理部を使用するか否かに応じて、前記省電力時の前記サブシステムの消費電力を制御することを特徴とする請求項１乃至４のいずれか１項に記載の情報処理システム。
【請求項６】
前記サブシステムは、前記第1の通信処理部及び前記第２の通信処理部に共通して利用される信号処理部を更に備え、
前記電力制御手段は、少なくとも、前記第1の通信処理部の利用状態、前記第２の通信処理部の利用状態、及び、前記信号処理部の利用状態に基づいて、前記省電力時の前記サブシステムの消費電力を制御することを特徴とする請求項１乃至３のいずれか１項に記載の情報処理システム。
【請求項７】
前記第1の通信処理部は、前記外部装置から送信された前記省電力状態からの復帰を指示する信号を検出すると、前記省電力状態からの復帰を指示する起動信号を前記電力制御手段へ送信することを特徴とする請求項１乃至６のいずれか１項に記載の情報処理システム。
【請求項８】
前記制御手段は前記外部装置から受信したデータに基づいて、前記省電力状態から復帰すべきか否かを判定し、復帰すべきと判定した場合に復帰を指示する起動信号を前記電力制御手段へ送信することを特徴とする請求項１乃至７のいずれか１項に記載の情報処理システム。
【請求項９】
前記外部装置から受信したデータが、前記省電力状態からの復帰を指示するパケット、または、前記メインシステムの前記アプリケーションにより利用されるデータである場合に、前記制御手段は前記省電力状態から復帰すべき、と判定することを特徴とする請求項８に記載の情報処理システム。
【請求項１０】
前記第1の通信処理部は有線通信を行うための通信処理部であり、前記第２の通信処理部は無線通信を行うための通信処理部であることを特徴とする請求項１乃至９のいずれか１項に記載の情報処理システム。
【請求項１１】
アプリケーションを実行するメインシステムと、外部装置との通信を制御するサブシステムとを有する情報処理システムであって、
前記メインシステムは、
前記サブシステムから当該サブシステムの省電力の形態に関する情報を取得する取得手段と、
前記メインシステムと前記サブシステムとに対する電源供給を制御する電源制御手段と
を備え、
前記サブシステムは、
前記外部装置と有線通信するための第１のコントローラと、
前記外部装置と無線通信するための第２のコントローラと、
前記サブシステムの制御手段と、
を備え、
前記電源制御手段は、前記サブシステムを省電力状態とする場合に、前記取得手段により取得した前記情報に従って少なくとも、前記制御手段、前記第１のコントローラ、及び、前記第２のコントローラに対する電源供給を制御し、
前記省電力の形態には、前記制御手段に電源供給を行わず前記第１のコントローラに電源供給を行う第１の省電力モードと、前記制御手段及び少なくとも第１のコントローラと前記第２のコントローラとのいずれかに電源供給を行う第２の省電力モードとが含まれる
ことを特徴とする情報処理システム。
【請求項１２】
前記サブシステムは、前記外部装置から受信したデータを信号処理する信号処理手段を備え、
前記電源制御手段は、前記サブシステムを省電力状態とする場合に前記信号処理手段に対する電源供給を更に制御し、該信号処理手段に電源供給する場合には、前記制御手段にも電源供給を行い、
前記外部装置から受信したデータの信号処理には暗号処理が含まれることを特徴とする請求項１１に記載の情報処理システム。
【請求項１３】
前記第１の省電力モードにおいて、前記第１のコントローラが前記外部装置から送信された所定のパケットを検知した場合、該第１のコントローラは、前記省電力状態からの復帰を指示する起動信号を前記電源制御手段へ送信することを特徴とする請求項１１または１２に記載の情報処理システム。
【請求項１４】
前記第２の省電力モードにおいて、前記制御手段は前記外部装置から受信したデータに基づき前記省電力状態から復帰すべきか否かを判定し、復帰すべきと判定した場合に復帰を指示する起動信号を前記電源制御手段へ送信することを特徴とする請求項１１乃至１３のいずれか１項に記載の情報処理システム。
【請求項１５】
前記外部装置から受信したデータが、前記省電力状態からの復帰を指示する特定のパケット、または、前記メインシステムのアプリケーションにより利用されるデータである場合に、前記制御手段は前記省電力状態から復帰すべき、と判定することを特徴とする請求項１４に記載の情報処理システム。
【請求項１６】
前記メインシステムは、前記制御手段に供給するクロック周波数を制御するクロック制御手段をさらに備え、
前記電源制御手段が、前記第２の省電力モードにおいて前記制御手段に電源供給を行う場合に、前記クロック制御手段が当該制御手段に対して供給するクロック周波数を制御して該制御手段における消費電力を低減させることを特徴とする請求項１１乃至１５のいずれか１項に記載の情報処理システム。
【請求項１７】
前記サブシステムの省電力の形態は、前記メインシステムの省電力状態の復帰要求を、有線通信を介して受け付けるか、または、無線通信を介して受け付けるかに基づいて決定されることを特徴とする請求項１１乃至１６のいずれか１項に記載の情報処理システム。
【請求項１８】
アプリケーションを実行するメインシステムと、外部との通信を制御するサブシステムとを有する情報処理システムであって、
前記メインシステムは、
前記サブシステムに対する電源供給を制御する制御手段を備え、
前記サブシステムは、
有線通信するための第１のコントローラと、
無線通信するための第２のコントローラと
前記サブシステムの制御手段と、を備え、
前記制御手段は、前記サブシステムを省電力状態とする場合に、前記サブシステムの通信待機状態に応じて、前記制御手段、前記第１のコントローラ、及び、前記第２のコントローラに対する電源供給を制御することを特徴とする情報処理システム。
【請求項１９】
前記省電力状態には、前記制御手段に電源供給を行わず前記第１のコントローラに電源供給を行う第１の省電力モードと、前記制御手段、及び、少なくとも第１のコントローラと前記第２のコントローラとのいずれかに電源供給を行う第２の省電力モードとが含まれることを特徴とする請求項１８の情報処理システム。
【請求項２０】
アプリケーションを実行するメインシステムと、前記外部装置と通信するための第１の通信処理部及び第２の通信処理部と制御部を有するサブシステムとを有し、少なくとも一部の消費電力を低減する省電力状態を有する情報処理システムの制御方法であって、
前記メインシステムが、前記情報処理システムを前記省電力状態にするか否かを判定し、
前記情報処理システムを前記省電力状態にする場合に、前記外部装置から送信される可能性のある、前記省電力状態からの復帰を受け付ける指示の種類に応じて、前記メインシステムが前記省電力時の前記サブシステムの消費電力を制御する
ことを特徴とする方法。
【請求項２１】
アプリケーションを実行するメインシステムと、外部装置との通信を制御するサブシステムとを有し、
前記サブシステムは、
前記外部装置と有線通信するための第１のコントローラと、
前記外部装置と無線通信するための第２のコントローラと、
前記サブシステムの制御手段と、
を備える情報処理システムの制御方法であって、
前記メインシステムにおいて、
前記サブシステムから当該サブシステムにおける省電力の形態に関する情報を取得し、
前記取得した情報に従って少なくとも、前記制御手段、前記第１のコントローラ、及び、前記第２のコントローラに対する電源供給を制御し、
前記省電力モードには、前記制御手段に電源供給を行わず前記第１のコントローラに電源供給を行う第１の省電力モードと、前記制御手段及び少なくとも第１のコントローラと前記第２のコントローラとのいずれかに電源供給を行う第２の省電力モードとが含まれる
ことを特徴とする情報処理システムの制御方法。
【請求項２２】
コンピュータを請求項１乃至１０のいずれか１項に記載の情報処理システムにおける電力制御手段として機能させることを特徴とするコンピュータプログラム。
【請求項２３】
コンピュータを請求項１８または１９に記載の情報処理システムにおける制御手段として機能させることを特徴とするコンピュータプログラム。
【手続補正２】
【補正対象書類名】明細書
【補正対象項目名】００１２
【補正方法】変更
【補正の内容】
【００１２】
上記課題を解決するための本発明は、アプリケーションを実行するメインシステムと、外部装置との通信を制御するサブシステムとを有する情報処理システムであって、
前記情報処理システムは、前記情報処理システムの少なくとも一部の消費電力を低減する省電力状態を有し、
前記メインシステムは、前記サブシステムの消費電力を制御する電力制御手段を備え、
前記サブシステムは、
前記外部装置と通信するための第１の通信処理部と、
前記外部装置と通信するための第２の通信処理部と、
前記サブシステムの制御手段と、
を備え、
前記電力制御手段は、前記情報処理システムを前記省電力状態にする場合に、前記外部装置から送信される可能性のある、前記省電力状態からの復帰を受け付ける指示の種類に応じて、前記省電力時の前記サブシステムの消費電力を制御することを特徴とする。